(57)【要約】  デバイスは、OFDMデータパイロットシンボルのセットを復調し得、コンスタレーションマップ上での各データパイロットの位置(たとえば、どのくらいデータパイロットシンボルが実際のコンスタレーションポイントに近いのか)に少なくとも部分的に基づいて、OFDMデータパイロットシンボルのサブセットを選択し得る。デバイスは、次いで、選択されたサブセットに少なくとも部分的に基づいて、データパイロットベース位相推定を実行し得る。デバイスはまた、サブキャリアのセットをグループに区分すること、および各グループから代表サブキャリアを選択することによって、データパイロット数を低減し得る。位相推定は、次いで、選択されたサブキャリア上で受信されるデータパイロットに基づき得る。場合によっては、デバイスはまた、位相平均化および位相オフセット推定を含む線形回帰アルゴリズムに基づいて、平滑な位相信号を生成し得、平滑な位相信号を使用して位相推定を実行し得る。
2018516510.tif 000002
【特許請求の範囲】
【請求項１】
通信の方法であって、
OFDMデータパイロットシンボルのセットを復調するステップと、
変調コンスタレーションマップにおけるOFDMデータパイロットシンボルの前記セットの各々の位置に少なくとも部分的に基づいて、OFDMデータパイロットシンボルのサブセットを選択するステップと、
OFDMデータパイロットシンボルの前記サブセットを選択するステップに少なくとも部分的に基づいて、データパイロットベース位相推定を実行するステップと
を備える方法。
【請求項２】
前記変調コンスタレーションマップにおいて、前記OFDMデータパイロットシンボルの各々から、最も近いコンスタレーションポイントまでの距離を計算するステップをさらに備え、
OFDMデータパイロットシンボルの前記サブセットを選択するステップが、前記最も近いコンスタレーションポイントまでの前記距離がしきい値よりも小さいOFDMデータパイロットシンボルを選択するステップを備える、
請求項1に記載の方法。
【請求項３】
前記変調コンスタレーションマップの領域を識別するステップをさらに備え、前記領域の中の各ポイントが、しきい値よりも小さい、少なくとも1つの軸からの位相オフセットを有し、
OFDMデータパイロットシンボルの前記サブセットを選択するステップが、前記変調コンスタレーションマップの前記領域とともに降下するOFDMデータパイロットシンボルを選択するステップを備える、
請求項1に記載の方法。
【請求項４】
OFDMデータパイロットシンボルの前記セットが、2位相シフトキーイング(BPSK)および直交振幅変調(QAM)からなるグループから選択された変調方式を使用して復調され、前記少なくとも1つの軸が同相軸を備える、請求項3に記載の方法。
【請求項５】
OFDMデータパイロットシンボルの前記セットが、4位相シフトキーイング(QPSK)を使用して復調され、前記少なくとも1つの軸が斜交軸を備える、請求項3に記載の方法。
【請求項６】
サブキャリアのセットの中のサブキャリアごとにチャネル推定を実行するステップと、
サブキャリアの前記セットを連続サブキャリアの複数のグループに区分するステップと、
前記グループの中の各サブキャリアに対応する前記チャネル推定に少なくとも部分的に基づいて、各グループから代表サブキャリアを選択するステップと
をさらに備える、請求項1に記載の方法。
【請求項７】
位相平均化および位相オフセット推定を備える線形回帰アルゴリズムに少なくとも部分的に基づいて、平滑な位相信号を生成するステップをさらに備え、
前記データパイロットベース位相推定が、前記平滑な位相信号に少なくとも部分的に基づく、
請求項1に記載の方法。
【請求項８】
通信のための装置であって、
OFDMデータパイロットシンボルのセットを復調するための復調器と、
変調コンスタレーションマップにおけるOFDMデータパイロットシンボルの前記セットの各々の位置に少なくとも部分的に基づいて、OFDMデータパイロットシンボルのサブセットを選択するためのシンボルフィルタと、
OFDMデータパイロットシンボルの前記サブセットを選択することに少なくとも部分的に基づいて、データパイロットベース位相推定を実行するための位相推定器と
を備える装置。
【請求項９】
前記変調コンスタレーションマップにおいて、前記OFDMデータパイロットシンボルの各々から、最も近いコンスタレーションポイントまでの距離を計算するための第1のシンボルフィルタをさらに備え、
OFDMデータパイロットシンボルの前記サブセットを選択することが、前記最も近いコンスタレーションポイントまでの前記距離がしきい値よりも小さいOFDMデータパイロットシンボルを選択することを備える、
請求項8に記載の装置。
【請求項１０】
前記変調コンスタレーションマップの領域を識別するための第2のシンボルフィルタをさらに備え、前記領域の中の各ポイントが、しきい値よりも小さい、少なくとも1つの軸からの位相オフセットを有し、
OFDMデータパイロットシンボルの前記サブセットを選択することが、前記変調コンスタレーションマップの前記領域とともに降下するOFDMデータパイロットシンボルを選択することを備える、
請求項8に記載の装置。
【請求項１１】
OFDMデータパイロットシンボルの前記セットが、2位相シフトキーイング(BPSK)および直交振幅変調(QAM)からなるグループから選択された変調方式を使用して復調され、前記少なくとも1つの軸が同相軸を備える、請求項10に記載の装置。
【請求項１２】
OFDMデータパイロットシンボルの前記セットが、4位相シフトキーイング(QPSK)を使用して復調され、前記少なくとも1つの軸が斜交軸を備える、請求項10に記載の装置。
【請求項１３】
サブキャリアのセットの中のサブキャリアごとにチャネル推定を実行するための、かつサブキャリアの前記セットを連続サブキャリアの複数のグループに区分するための、かつ前記グループの中の各サブキャリアに対応する前記チャネル推定に少なくとも部分的に基づいて各グループから代表サブキャリアを選択するための、計算量低減器
をさらに備える、請求項8に記載の装置。
【請求項１４】
位相平均化および位相オフセット推定を備える線形回帰アルゴリズムに少なくとも部分的に基づいて、平滑な位相信号を生成するための線形回帰フィルタをさらに備え、
前記データパイロットベース位相推定が、前記平滑な位相信号に少なくとも部分的に基づく、
請求項8に記載の装置。
【請求項１５】
通信のための装置であって、
OFDMデータパイロットシンボルのセットを復調するための手段と、
変調コンスタレーションマップにおけるOFDMデータパイロットシンボルの前記セットの各々の位置に少なくとも部分的に基づいて、OFDMデータパイロットシンボルのサブセットを選択するための手段と、
OFDMデータパイロットシンボルの前記サブセットを選択することに少なくとも部分的に基づいて、データパイロットベース位相推定を実行するための手段と
を備える装置。
【請求項１６】
前記変調コンスタレーションマップにおいて、前記OFDMデータパイロットシンボルの各々から、最も近いコンスタレーションポイントまでの距離を計算するための手段をさらに備え、
OFDMデータパイロットシンボルの前記サブセットを選択するための前記手段が、前記最も近いコンスタレーションポイントまでの前記距離がしきい値よりも小さいOFDMデータパイロットシンボルを選択するための手段を備える、
請求項15に記載の装置。
【請求項１７】
前記変調コンスタレーションマップの領域を識別するための手段をさらに備え、前記領域の中の各ポイントが、しきい値よりも小さい、少なくとも1つの軸からの位相オフセットを有し、
OFDMデータパイロットシンボルの前記サブセットを選択するための前記手段が、前記変調コンスタレーションマップの前記領域とともに降下するOFDMデータパイロットシンボルを選択するための手段を備える、
請求項15に記載の装置。
【請求項１８】
OFDMデータパイロットシンボルの前記セットが、2位相シフトキーイング(BPSK)および直交振幅変調(QAM)からなるグループから選択された変調方式を使用して復調され、前記少なくとも1つの軸が虚軸を備える、請求項17に記載の装置。
【請求項１９】
サブキャリアのセットの中のサブキャリアごとにチャネル推定を実行するための手段と、
サブキャリアの前記セットを連続サブキャリアの複数のグループに区分するための手段と、
前記グループの中の各サブキャリアに対応する前記チャネル推定に少なくとも部分的に基づいて、各グループから代表サブキャリアを選択するための手段と
をさらに備える、請求項8に記載の装置。
【請求項２０】
位相平均化および位相オフセット推定を備える線形回帰アルゴリズムに少なくとも部分的に基づいて、平滑な位相信号を生成するための手段をさらに備え、
前記データパイロットベース位相推定が、前記平滑な位相信号に少なくとも部分的に基づく、
請求項8に記載の装置。
【発明の詳細な説明】
【技術分野】
【０００１】
相互参照
本特許出願は、2015年6月3日に出願され、本出願の譲受人に譲渡された、「Feed-Forward Phase Tracking」と題するFrankらによる米国特許出願第14/729,308号の優先権を主張する。
【０００２】
以下は、一般に、ワイヤレス通信に関し、より詳細には、フィードフォワード位相追跡に関する。
【背景技術】
【０００３】
音声、ビデオ、パケットデータ、メッセージング、ブロードキャストなどの様々なタイプの通信コンテンツを提供するために、ワイヤレス通信システムが広く展開されている。これらのシステムは、利用可能なシステムリソース(たとえば、時間、周波数、および電力)を共有することによって複数のユーザとの通信をサポートできる多元接続システムであり得る。
【０００４】
ワイヤレスネットワーク、たとえば、ワイヤレスローカルエリアネットワーク(WLAN)は、1つまたは複数のステーション(STA)またはモバイルデバイスと通信するアクセスポイント(AP)を含み得る。APは、インターネットなどのネットワークに結合されてよく、モバイルデバイスがネットワークを介して通信(またはアクセスポイントに結合された他のデバイスと通信)することを可能にし得る。ワイヤレスデバイスは、ネットワークデバイスと双方向に通信し得る。たとえば、WLANにおいて、STAは、ダウンリンク(DL)およびアップリンク(UL)を介して、関連付けられたAPと通信し得る。STAの観点から、DL(または、順方向リンク)はAPからステーションへの通信リンクを指してよく、アップリンク(UL)(または、逆方向リンク)はステーションからAPへの通信リンクを指してよい。
【０００５】
いくつかのワイヤレス通信デバイス(APまたはSTAなどの)は、到来信号上で位相を追跡するために、パイロットベース位相推定とデータパイロットベース位相推定との組合せを利用し得る。場合によっては、データパイロットのうちのいくつかは、チャネルの中の雑音またはひずみによって影響を及ぼされることがあり、データパイロットベース位相推定での使用にとって効果的でない場合がある。
【発明の概要】
【課題を解決するための手段】
【０００６】
フィードフォワード位相追跡のためのシステム、方法、および装置が説明される。ワイヤレスデバイスは、OFDMデータパイロットシンボルのセットを復調し得、コンスタレーションマップ上での各データパイロットの位置(たとえば、どのくらいデータパイロットシンボルが実際のコンスタレーションポイントに近いのか)に少なくとも部分的に基づいて、OFDMデータパイロットシンボルのサブセットを選択し得る。デバイスは、次いで、選択されたサブセットを使用して、データパイロットベース位相推定を実行し得る。デバイスはまた、サブキャリアのセットをグループに区分すること、および各グループから代表サブキャリアを選択することによって、データパイロット数を低減し得る。位相推定は、選択されたサブキャリア上で受信されるデータパイロットに少なくとも部分的に基づいてよい。場合によっては、デバイスはまた、位相平均化および位相オフセット推定を含む線形回帰アルゴリズムに少なくとも部分的に基づいて、平滑な位相信号を生成し得、平滑な位相信号を使用して位相推定を実行し得る。
【０００７】
通信の方法が説明される。方法は、OFDMデータパイロットシンボルのセットを復調することと、変調コンスタレーションマップにおけるOFDMデータパイロットシンボルのセットの各々の位置に少なくとも部分的に基づいて、OFDMデータパイロットシンボルのサブセットを選択することと、OFDMデータパイロットシンボルのサブセットを選択することに少なくとも部分的に基づいて、データパイロットベース位相推定を実行することとを含み得る。
【０００８】
通信のための装置が説明される。装置は、OFDMデータパイロットシンボルのセットを復調するための復調器と、変調コンスタレーションマップにおけるOFDMデータパイロットシンボルのセットの各々の位置に少なくとも部分的に基づいて、OFDMデータパイロットシンボルのサブセットを選択するためのシンボルフィルタと、OFDMデータパイロットシンボルのサブセットを選択することに少なくとも部分的に基づいて、データパイロットベース位相推定を実行するための位相推定器とを含み得る。
【０００９】
通信のためのさらなる装置が説明される。装置は、OFDMデータパイロットシンボルのセットを復調するための手段と、変調コンスタレーションマップにおけるOFDMデータパイロットシンボルのセットの各々の位置に少なくとも部分的に基づいて、OFDMデータパイロットシンボルのサブセットを選択するための手段と、OFDMデータパイロットシンボルのサブセットを選択することに少なくとも部分的に基づいて、データパイロットベース位相推定を実行するための手段とを含み得る。
【００１０】
上記で説明した方法または装置は、変調コンスタレーションマップにおいて、OFDMデータパイロットシンボルのセットの各々から、最も近いコンスタレーションポイントまでの距離を計算するためのプロセス、機能、手段、または命令をさらに含み得る。OFDMシンボルのサブセットを選択することは、最も近いコンスタレーションポイントまでの距離がしきい値よりも小さいOFDMシンボルを選択することを含み得る。追加または代替として、いくつかの例は、コンスタレーションマップの領域を識別するためのプロセス、機能、手段、または命令を含み得、領域の中の各ポイントは、しきい値よりも小さい、少なくとも1つの軸からの位相オフセットを有する。OFDMシンボルのサブセットを選択することは、コンスタレーションマップの識別された領域とともに降下するOFDMシンボルを選択することを含み得る。OFDMデータパイロットシンボルのセットが2位相シフトキーイング(BPSK)または直交振幅変調(QAM)を使用して復調されるとき、少なくとも1つの軸は同相軸である。OFDMデータパイロットシンボルが4位相シフトキーイング(QPSK)を使用して復調されるとき、少なくとも1つの軸は斜交軸である。
【００１１】
上記で説明した方法または装置は、サブキャリアのセットの中のサブキャリアごとにチャネル推定を実行し、サブキャリアのセットを連続サブキャリアの複数のグループに区分し、グループの中の各サブキャリアに対応するチャネル推定に少なくとも部分的に基づいて、各グループから代表サブキャリアを選択するための、プロセス、機能、手段、または命令をさらに含み得る。追加または代替として、いくつかの例は、位相平均化および位相オフセット推定を備える線形回帰アルゴリズムに少なくとも部分的に基づいて、平滑な位相信号を生成するためのプロセス、機能、手段、または命令を含み得、データパイロットベース位相推定は、平滑な位相信号に少なくとも部分的に基づく。
【００１２】
開示する概念および具体例は、本開示の同じ目的を実行するための他の構造を変更または設計するための基礎として容易に利用され得る。そのような同等な構造は、添付の特許請求の範囲から逸脱しない。本明細書で開示する概念の特性、それらの編成と動作の方法の両方が、添付の図とともに検討されると、関連する利点とともに以下の説明からよりよく理解されよう。図の各々は、例示および説明のために提供されるにすぎず、特許請求の範囲の限界を定めるものではない。
【００１３】
本開示の本質および利点のさらなる理解は、以下の図面を参照することによって実現され得る。添付の図では、類似の構成要素または特徴は、同じ参照ラベルを有することがある。さらに、同じタイプの様々な構成要素は、参照ラベルの後に、ダッシュと、類似の構成要素を区別する第2のラベルとを続けることによって区別されることがある。第1の参照ラベルのみが本明細書で使用される場合、説明は、第2の参照ラベルにかかわらず、同じ第1の参照ラベルを有する類似の構成要素のうちのいずれにも適用可能である。
【図面の簡単な説明】
【００１４】
【図１】本開示の様々な態様に従って構成されたワイヤレスローカルエリアネットワーク(WLAN)を示す図である。
【図２】本開示の様々な態様によるフィードフォワード位相追跡をサポートするワイヤレス通信サブシステムの一例を示す図である。
【図３Ａ】本開示の様々な態様によるフィードフォワード位相追跡をサポートするデバイスにおける、受信シンボルを表すコンスタレーションマップの例を示す図である。
【図３Ｂ】本開示の様々な態様によるフィードフォワード位相追跡をサポートするデバイスにおける、受信シンボルを表すコンスタレーションマップの例を示す図である。
【図３Ｃ】本開示の様々な態様によるフィードフォワード位相追跡をサポートするデバイスにおける、受信シンボルを表すコンスタレーションマップの例を示す図である。
【図４】本開示の様々な態様によるフィードフォワード位相追跡をサポートするデバイスにおける、区分されたサブキャリアの例示的なグラフである。
【図５】本開示の様々な態様によるフィードフォワード位相追跡をサポートするプロセスフローの一例を示す図である。
【図６】本開示の様々な態様によるフィードフォワード位相追跡をサポートするデバイスのブロック図である。
【図７】本開示の様々な態様によるフィードフォワード位相追跡をサポートするデバイスのブロック図である。
【図８】本開示の様々な態様によるフィードフォワード位相追跡をサポートするデバイスのブロック図である。
【図９Ａ】本開示の様々な態様によるフィードフォワード位相追跡をサポートするデバイスを含むシステムのブロック図である。
【図９Ｂ】本開示の様々な態様によるフィードフォワード位相追跡をサポートするデバイスを含むシステムのブロック図である。
【図１０】本開示の様々な態様によるフィードフォワード位相追跡のための方法を示す図である。
【図１１】本開示の様々な態様によるフィードフォワード位相追跡のための方法を示す図である。
【図１２】本開示の様々な態様によるフィードフォワード位相追跡のための方法を示す図である。
【図１３】本開示の様々な態様によるフィードフォワード位相追跡のための方法を示す図である。
【図１４】本開示の様々な態様によるフィードフォワード位相追跡のための方法を示す図である。
【発明を実施するための形態】
【００１５】
説明する特徴は、一般に、フィードフォワード位相追跡のための改善されたシステム、方法、または装置に関する。デバイスは、いくつかのデータパイロットシンボルを受信し得、位相推定で使用するためにそれらをフィルタ処理し得る。フィルタ処理は、予想コンスタレーションポイントのしきい値距離に入らないか、または画定された領域に入らないパイロットシンボルを廃棄することによるなどの、コンスタレーションマップ内での各シンボルのロケーションに少なくとも部分的に基づく。さらに、フィルタ処理は、サブキャリアをサブブロックに区分すること、および各サブブロックの代表サブキャリアからパイロットシンボルを選択することに少なくとも部分的に基づいて行われ得る。
【００１６】
いくつかの通信システムでは、位相追跡用のフォワード補正などの開ループ制御を使用して、位相および周波数オフセット処理が行われる。時には、周波数追跡が、位相追跡よりも低い(たとえば、16分の1に低い)サンプリングレートで行われることがある。完全に一体化された設計を使用することによるなどの、信号処理のすべてがデジタルベースバンド(BB)において実行されることが望ましい場合がある。たとえば、局部発振器(LO:local oscillator)の周波数オフセットが、受信機のアナログ部分以外のどこかで制御されてよい。さらに、キャリア周波数オフセット(CFO:carrier frequency offset)およびサンプリング周波数オフセット(SFO:sampling frequency offset)は、LOオフセットに関係し得る。したがって、CFOのベースバンド補正は、高速フーリエ変換(FFT)が実行される前などの時間領域において実行されてよい。場合によっては、SFOのベースバンド補正は、FFTの後などの周波数領域において、低い計算量を伴って実行される。CFOはキャリア間干渉(ICI:inter-carrier interference)の原因であり得、SFOはシンボル間干渉(ISI:inter-symbol interference)の原因であり得る。
【００１７】
いくつかの通信システムでは、最大比合成(MRC:maximum ratio combined)された入力信号は、FFTの後などの周波数領域にあり、したがって、チャネル伝搬に起因する位相シフトが補償される。パイロットシンボル(たとえば、連続パイロットシンボル)の数は、小さい信号帯域幅(たとえば、1または2MHz付近)において制限され得る。したがって、データ支援位相追跡を追加することによってパイロットの数を増やすことが有益である場合がある。高い変調次数(たとえば、16QAMよりも大きい)はもっと大きい信号対雑音比(SNR)を有し、ここで、パイロットベース位相推定は、より少数のパイロットトーンを用いてより信頼できるので、データ支援位相追跡方式は、低い変調次数(たとえば、2位相シフトキーイング(BPSK)、4位相シフトキーイング(QPSK)、16直交振幅変調(QAM))にとってより有益であり得る。
【００１８】
データ支援位相追跡を使用する通信システムでは、(たとえば、残留CFO、SFO、または位相雑音によって引き起こされる)共通位相誤差(CPE:common phase error)が、直交周波数分割多重(OFDM)シンボルごとに推定され得る。さらに、残留サンプリング周波数誤差(SFO)からの、直交周波数分割多重(OFDM)シンボル(または、別の多重化方式の別のシンボル)内での位相勾配が導出される。時には、既知の変調を伴うパイロットサブキャリアなどの、2つのパイロットサブキャリアだけが利用可能である。位相追跡の間、平滑化を可能にする小さい帯域幅を、CPEおよびCFOの十分な位相追跡能力を与えるとともに追跡を可能にする大きい帯域幅と平衡させることが重要であり得る。
【００１９】
データ支援位相追跡は、位相トラッキングフィルタを最適化すること、および信頼できるデータパイロットの選択を改善または容易にすることを通じて、性能を改善し得る。たとえば、予測フィルタが使用されてよい。場合によっては、予測フィルタは、残留周波数オフセットが存在するときに位相遅れを生み出す低い平均化特性を有する3タップ有限インパルス応答(FIR:finite impulse response)位相平滑化フィルタ、および従来の低域フィルタとは異なり残留位相誤差を有しない、線形回帰に少なくとも部分的に基づくフィルタ方式を含み得る。3タップ線形回帰タイプのトラッキングフィルタは、すべての変調およびコーディング方式を改善しながら、十分な動特性および低い実装複雑さを可能にし得る。セクタリング方式(sectoring scheme)を使用する位相検出器は、データパイロット数に少なくとも部分的に基づいて性能利得を制限することがある。さらに、単純なセクタリング方式は、もっと高い変調方式に対して性能を高めない場合がある。
【００２０】
場合によっては、データ支援位相追跡方式の計算量は、チャネルマグニチュードを分析することによって低減される。たとえば、サブキャリアのN個のサブブロックが規定されてよく、チャネル推定結果を使用するなどして、サブブロック当たり最大のチャネルマグニチュードを有するサブキャリアが識別され得る。低減された数のデータパイロットを使用することによって、データ支援位相追跡の計算量が低減され得る。
【００２１】
データ支援位相追跡を使用するとき、信頼できるデータパイロットを選択することが重要である。チャネルマグニチュードに従ってデータパイロットを選択することは、チャネルが無雑音であるときに最良の選択をもたらし得るが、データ支援位相追跡は、極めて低いSNR領域の下での位相追跡のためにサポートされる。高度なデータパイロット選択方式は、各サブキャリアの個々の雑音ひずみの量を考慮に入れ得る。たとえば、重度にひずんだ複素データパイロットシンボルは、平均シンボル位置までのそれらの距離によって識別され得る。いくつかの例では、規定されたセクタ内のすべてのシンボルが使用され、そのため、平均シンボル位置に対するそれらの位相誤差を考慮に入れる。計算量を低減するために、チャネルマグニチュード分析はセクタ選択方式と組み合わせられてよい。場合によっては、チャネルマグニチュードを使用する事前選択が、全体のデータパケットにとって有効であり、セクタ選択方式は、個々のシンボル条件に少なくとも部分的に基づく追加の適応選択である。
【００２２】
以下の説明は、例を提供するものであり、特許請求の範囲に記載された範囲、適用性、または例を限定するものではない。本開示の範囲から逸脱することなく、説明する要素の機能および構成に変更が行われ得る。様々な例は、適宜に、様々な手順または構成要素を省略、置換、または追加し得る。たとえば、説明する方法は、説明する順序と異なる順序で実行されてよく、様々なステップが追加、省略、または結合されてよい。
【００２３】
本開示の技法は原則的にWLANシステムのコンテキストで説明されるが、これらの技法はまた、他のワイヤレス(たとえば、セルラー、デジタルTV、デジタル無線、衛星など)および有線システム(ワイヤライン、WAN、イーサネット（登録商標）、ケーブルTVなど)の通信システムに適用され得る。また、本開示のいくつかの態様はOFDMシンボルを参照しながら説明されるが、説明する特徴はまた、他のタイプの通信(たとえば、時分割多重(TDM)、符号分割多重(CDM)、および周波数分割多重(FDM))に適用され得る。
【００２４】
図1は、本開示の様々な態様に従って構成されたWLAN100を示す。WLAN100は、アクセスポイント(AP)105および関連付けられた複数のSTA115を含み得、STA115は、移動局、携帯情報端末(PDA)、他のハンドヘルドデバイス、ネットブック、ノートブックコンピュータ、タブレットコンピュータ、ラップトップ、ディスプレイデバイス(たとえば、TV、コンピュータモニタなど)、プリンタなどのデバイスを表し得る。AP105および関連付けられたステーション115は、基本サービスセット(BSS)または拡張サービスセット(ESS)を表し得る。ネットワークの中の様々なSTA115は、AP105を通じて互いに通信し得る。WLAN100の基本サービスエリア(BSA)を表し得るAP105のカバレージエリア110も示される。図1はWLANの一例を示すが、本明細書で説明する方法およびシステムはまた、米国電気電子学会(IEEE)802.3および1905.1規格に基づくものなどの、他の通信システム内で利用されてよい。
【００２５】
図1に示さないが、STA115は、2つ以上のカバレージエリア110の共通部分に配置されてよく、2つ以上のAP105に関連付けてよい。単一のAP105、およびSTA115の関連付けられたセットは、BSSと呼ばれることがある。ESSは、接続されたBSSのセットである。ESSの中でAP105を接続するために、配信システム(DS)(図示せず)が使用され得る。場合によっては、AP105のカバレージエリア110は、セクタに分割され得る(やはり図示せず)。WLANネットワーク100は、様々なオーバーラップするカバレージエリア110を有する異なるタイプ(たとえば、メトロポリタンエリア、ホームネットワークなど)のAP105を含み得る。2つのSTA115はまた、両方のSTA115が同じカバレージエリア110の中にあるかどうかにかかわらず、直接ワイヤレスリンク120を介して直接通信し得る。直接ワイヤレスリンク120の例は、Wi-Fi Directコネクション、Wi-Fiトンネルドダイレクトリンクセットアップ(TDLS)リンク、および他のグループ接続を含み得る。STA115およびAP105は、IEEE802.11および限定はしないが、802.11b、802.11g、802.11a、802.11n、802.11ac、802.11ad、802.11ahなどを含むバージョンからの、物理(PHY)レイヤ用および媒体アクセス制御(MAC)レイヤ用のWLAN無線およびベースバンドプロトコルに従って通信し得る。他の実装形態では、ピアツーピア接続またはアドホックネットワークがWLAN100内で実施されてよい。
【００２６】
STA115およびAP105などのデバイスは、デジタル信号を変調すること、および得られた波形を直交周波数分割多重(OFDM)などの多重化方式に従って送信することによって通信し得る。変調とは、周期的な波形の特性(たとえば、周波数、振幅、および位相)を改変することによってデジタル信号を表すプロセスである。復調は、改変された波形を取り、デジタル信号を生成する。被変調波形は、シンボルと呼ばれる時間単位に分割される。各シンボルは別個に変調される。異なるシンボルを送信するために細い周波数サブキャリアを使用するワイヤレス通信システムでは、各シンボルの位相および振幅を変化させることによって変調が達成される。たとえば、BPSK変調方式は、位相オフセットを伴わないかまたは180°オフセットを伴って送信される波形の間で変動することによって情報を運ぶ(すなわち、各シンボルは情報の単一ビットを運ぶ)。QAM方式では、2つのキャリア信号(同相成分すなわちIおよび直交成分すなわちQと呼ばれる)が90°の位相オフセットを伴って送信され、各信号は、有限集合の中から選択された特定の振幅を伴って送信される。振幅ビン(amplitude bin)の数が、各シンボルによって運ばれるビット数を決定する。たとえば、16QAM方式では、各キャリア信号は、4つの振幅(たとえば、-3、-1、1、3)のうちの1つを有し得、そのことは、結果として16個の可能な組合せ(すなわち、4ビット)となる。様々な可能な組合せが、コンスタレーションマップと呼ばれるグラフの中に表されてよく、ここで、I成分の振幅は水平軸上に表され、Q成分は垂直軸上に表される。
【００２７】
ワイヤレス信号を復調するために、デバイスは、中心周波数、位相、および正規化振幅などの、信号の特性を最初に決定し得る。このことは、パイロットシンボルと呼ばれる所定のビットを使用して達成される。チャネル統計値の生成を可能にするために、別個のパイロットシンボルが周期的に送信されてよく、データパイロットも、データ送信の中に埋め込まれてよい。STA115およびAP105などのデバイスは、OFDMデータパイロットシンボルのセットを復調し得、コンスタレーションマップ上での各データパイロットの位置(たとえば、どのくらいデータパイロットシンボルが実際のコンスタレーションポイントに近いのか)に少なくとも部分的に基づいて、OFDMデータパイロットシンボルのサブセットを選択し得る。デバイスは、次いで、選択されたサブセットに少なくとも部分的に基づいて、データパイロットベース位相推定を実行し得る。デバイスはまた、サブキャリアのセットをグループに区分すること、および各グループから代表サブキャリアを選択することによって、データパイロット数を低減し得る。位相推定は、選択されたサブキャリア上で受信されるデータパイロットに少なくとも部分的に基づく。場合によっては、デバイスはまた、位相平均化および位相オフセット推定を含む線形回帰アルゴリズムに少なくとも部分的に基づいて、平滑な位相信号を生成し得、平滑な位相信号を使用して位相推定を実行し得る。
【００２８】
図2は、本開示の様々な態様によるフィードフォワード位相追跡のためのワイヤレス通信サブシステム200の一例を示す。通信サブシステム200は、図1を参照しながら上記で説明したSTA115の一例であるSTA115-aを含み得る。通信サブシステム200はまた、図1を参照しながら上記で説明したAP105の一例であるAP105-aを含み得る。図2のフィルタ処理はSTA115-aにおいて示されるが、本開示で説明するパイロットシンボルのフィルタ処理および関連する位相推定は、(AP105-aを含む)任意のデバイス内で実施されてもよい。
【００２９】
AP105-aは、いくつかのサブキャリアをカバーし得る通信リンク120-aを使用してSTA115-aと通信し得る。AP105-aからSTA115-aへの通信はいくつかのパイロットシンボルを含んでよく、その各々は特定のサブキャリア上で送信される。パイロットシンボルは、周波数および位相の推定/同期などのために、AP105-aとSTA115-aとの間の通信を同期させるために使用され得る。パイロットシンボルは、シンボルフィルタ205を使用するなどしてパイロットシンボルのサブセット210にフィルタ処理される。デバイスはまた、位相平均化および位相オフセット推定を含む線形回帰アルゴリズムに少なくとも部分的に基づいて、平滑な位相信号生成し得、平滑な位相信号を使用して位相推定を実行し得る。
【００３０】
パイロットシンボルをパイロットシンボルのサブセット210にフィルタ処理することは、サブキャリアを区分することを含み得る。各サブブロック内で、いくつかのサブキャリア(たとえば、単一のサブキャリア)が、位相推定で使用するために選択され得る。位相推定用に使用される選択されたサブキャリアのパイロットシンボルは、チャネル伝達関数(すなわち、各サブキャリア上で受信される信号の強度)などのいくつかのファクタを使用して選ばれてよい。たとえば、サブブロックの中で最大の信号マグニチュードを有するパイロットシンボルが、パイロットシンボルのサブセット210にフィルタ処理され、したがって、位相推定用に選ばれる。このことは、信頼できるパイロットシンボルが使用され得るので、分析の精度を大幅に低減することなく、パイロットシンボルを使用する位相推定にとって必要な計算量およびリソースを低減する。
【００３１】
追加または代替として、パイロットシンボルをパイロットシンボルのサブセット210にフィルタ処理することは、パイロットシンボルをコンスタレーションマップにマッピングすることを含み得る。たとえば、シンボルマップは、波形の同相(I)軸係数および直交(Q)軸係数を有する平面として可視化される。コンスタレーションの中でのシンボルのロケーションを使用して、データ値すなわちビットの集団を表すシンボルがコンスタレーションポイントの近くにあるかどうかが決定され得る。場合によっては、位相推定のためにパイロットシンボルのサブセット210が使用されて、必要な計算量およびリソースを低減する。パイロットシンボルのサブセット210は、複素平面内でのそれらのロケーションに少なくとも部分的に基づいてよい。パイロットシンボルは、知られているコンスタレーションポイントのしきい値距離に入る場合、パイロットシンボルのサブセット210にフィルタ処理されてよい。パイロットシンボルはまた、コンスタレーションマップの特定の領域に入る場合、パイロットシンボルのサブセット210にフィルタ処理されてよい。たとえば、コンスタレーションマップの領域は、軸のしきい値位相オフセット内にパイロットシンボルを含み得る。同様に、パイロットシンボルのサブセット210の中で、パイロットシンボルがその内側に含まれるべき領域を画定するために、一次関数などの関数が使用され得る。時には、パイロットシンボルのサブセット210の中に含まれないパイロットシンボルが、位相推定として廃棄または無視される。したがって、位相推定用のパイロットシンボルの数は低減され、そのことは、信頼できるパイロットシンボルが位相推定用に優先されながら、パイロットシンボルを分析するのに必要な計算量およびリソースを低減し得る。
【００３２】
場合によっては、線形回帰に少なくとも部分的に基づくフィルタ方式が使用される。たとえば、3タップ線形回帰タイプのトラッキングフィルタは、すべての変調およびコーディング方式を改善しながら、十分な動特性および低い実装複雑さを可能にし得る。線形回帰フィルタは、位相平均化と位相予測の両方に少なくとも部分的に基づき、残留位相誤差を低減し得る。
【００３３】
位相推定は、受信シンボルを処理すること、およびシンボルの位相誤差を識別することを含み得る。たとえば、位相誤差は、コンスタレーションマップにおけるシフトまたは回転として表される。受信シンボルからの位相推定は、その後に処理されるシンボルにとって、より良好な推定をもたらすために使用され得る。場合によっては、位相推定は、周期的に送信される(かつ、所定の)パイロットシンボルに基づき得る。他のケースでは、位相推定は、データ送信の中に埋め込まれた所定のパイロットシンボル、または制御もしくはデータの送信自体に基づく。
【００３４】
図3A、図3B、および図3Cは、本開示の様々な態様によるフィードフォワード位相追跡をサポートする受信デバイスによって検出されるOFDMシンボルを表すコンスタレーションマップ300、300-a、および300-bの例を示す。コンスタレーションマップ300、300-a、および300-bは、図1または図2で説明したようなAP105とSTA115との間で送信される受信シンボルのI/Q平面表現である。他の例では、シンボルは、2つのAP105または2つのSTA115の間で送信されてもよい。
【００３５】
図3Aは、様々な実施形態によるコンスタレーションマッピング300を示す。場合によっては、コンスタレーションマップ300は、BPSK方式を用いた使用のためのコンスタレーションマップを表し得る。コンスタレーションマップは、AP105から受信されるパイロットシンボルなどのいくつかのパイロットシンボル310および315を含む。コンスタレーションマップ300は、コンスタレーションマップ300の異なる領域を画定し得る軸位相オフセット線305をさらに含む。たとえば、2位相シフトキーイング(BPSK)方式を使用するとき、異なる2つのコンスタレーションポイントがあり、領域は、予想コンスタレーションポイントに近い、いくつかの信頼できるパイロットシンボル310を含むとともに、予想コンスタレーションポイントから遠く、したがって、信頼できないことがあるいくつかの信頼できないパイロットシンボル315を除外するように画定され得る。たとえば、軸位相オフセット線305は、同相軸の±45°内のパイロットシンボルを、信頼できるパイロットシンボル310であるものと見なしてよい。軸位相オフセット線305を画定することによって、より少数だがより正確なパイロットシンボル310を復号し、それによって、パイロットシンボル復号の計算量およびパイロットシンボル復号にとって必要なリソースを低減することが可能である。場合によっては、信頼できるパイロットシンボル310と見なされないパイロットシンボル、すなわち信頼できないパイロットシンボル315は、無視または廃棄される。
【００３６】
時には、予想コンスタレーションポイントからのしきい値距離が、軸位相オフセット線305の代わりにまたはそれに加えて使用され得る。たとえば、BPSK方式を使用するとき、異なる2つの予想コンスタレーションポイントがあり得る。しきい値距離領域320は、復調方式の予想コンスタレーションポイントからのしきい値距離内の領域として画定される。信頼できるパイロットシンボル310は、軸位相オフセット線305またはしきい値距離領域320によって画定された領域(すなわち、所与の軸の円の内側)に入るパイロットシンボルであり得る。図示したように、しきい値距離領域320は、軸位相オフセット線305によって信頼できるパイロットシンボル310と見なされるパイロットシンボルのサブセットを含む。したがって、しきい値距離領域320を使用するとき、軸位相オフセット線305に少なくとも部分的に基づいて信頼できるパイロットシンボル310として図示したいくつかのパイロットシンボルは、それらがしきい値距離領域320の外部にある場合、信頼できないパイロットシンボル315と見なされてよい。
【００３７】
図3Bは、様々な実施形態によるコンスタレーションマッピング300-aを示す。場合によっては、コンスタレーションマップ300-aは、QPSK方式を用いた使用のためのコンスタレーションマップを表し得る。4位相シフトキーイング(QPSK)方式を使用するとき、異なる4つのコンスタレーションポイントがある。軸位相オフセット線305-aは、予想コンスタレーションポイントに近い領域を取り入れるとともに、予想コンスタレーションポイントに近くない領域を除外するように画定され得る。たとえば、軸位相オフセット線305-aは、軸から±20°と±70°との間のパイロットシンボルを、信頼できるパイロットシンボル310-aと見なしてよい。軸位相オフセット線305-aの内側にないパイロットシンボルは、信頼できないパイロットシンボル315-aと見なされてよく、無視または廃棄されてよい。図示したように、しきい値距離領域320-aは、パイロットシンボルが信頼できるパイロットシンボル310-aであるのか、それとも信頼できないパイロットシンボル315-aであるのかを決定するために使用され得る。パイロットシンボルは、しきい値距離領域320-aのうちの1つに入る場合、信頼できるパイロットシンボル310-aと見なされる。同様に、パイロットシンボルは、しきい値距離領域320-aのうちの1つの内側にない場合、信頼できないパイロットシンボル315-aと見なされ、無視または廃棄される。場合によっては、変調およびコーディング方式に少なくとも部分的に基づいて、予想コンスタレーションポイントが存在するのと同数のしきい値距離領域320-aが存在する。
【００３８】
図3Cは、様々な実施形態によるコンスタレーションマッピング300-bを示す。場合によっては、コンスタレーションマップ300-bは、16直交振幅変調(QAM)方式を用いた使用のためのコンスタレーションマップを表し得る。16QAM方式は、異なる16個の予想コンスタレーションポイントを有し得る。軸位相オフセット線305-bは、CFOベースの回転に起因する間違った決定を防止するように画定され得る。たとえば、軸位相オフセット線305-bは、同相軸から±60°内のパイロットシンボルを、信頼できるパイロットシンボル310-bであるものと見なしてよい。軸位相オフセット線305-bの内側にないパイロットシンボルは、信頼できないパイロットシンボル315-bと見なされてよく、無視または廃棄されてよい。しきい値距離領域320-bは、パイロットシンボルが信頼できるパイロットシンボル310-bであるのか、それとも信頼できないパイロットシンボル315-bであるのかを決定するために使用され得る。軸位相オフセット線305-bまたはしきい値距離領域320-bによって画定されるような領域などの許容できる領域に、パイロットシンボルのうちの全部または一部が入る場合、パイロットシンボルは、信頼できるパイロットシンボル310-bと見なされてよい。
【００３９】
図4は、本開示の様々な態様によるフィードフォワード位相追跡をサポートするデバイスにおける、区分されたサブキャリアの例示的なグラフ400を示す。グラフ400は、図1または図2で説明したようなAP105とSTA115との間で送信されるサブキャリアのグラフ表現である。他の例では、シンボルは、2つのAP105または2つのSTA115の間で送信されてもよい。
【００４０】
グラフ400は、それらのチャネル伝達関数に従ってグラフ化されたサブキャリア405を示す。STA115は、AP105との通信用に使用されるものなどの、いくつかのサブキャリア405を受信し得る。サブキャリア405は、擬似ランダムに、またはサブキャリアインデックス、コンポーネントキャリア、もしくは他のファクタに少なくとも部分的に基づくなどして、N個のサブブロックに区分されてよい。場合によっては、各サブブロックが類似の数のサブキャリア405を含み、または異なるサブブロックが異なる数のサブキャリア405を含んでよい。
【００４１】
サブキャリア405がサブブロックに分離されると、位相推定、復調、または復号などの分析用に、いくつかのサブキャリア405が選ばれてよい。たとえば、選択されるサブキャリア410は、位相推定用に各サブブロックから選ばれてよい。場合によっては、選択されるサブキャリア410は、それらが強い信号(すなわち、強いパイロットシンボル)を含むとともに、それらが属するサブブロックにとって最大チャネルマグニチュードを有するために選ばれる。選択されるサブキャリア410を選ぶために、振幅、時間、位相、周波数などに少なくとも部分的に基づくなどの様々な選択基準が使用され得ることに留意されたい。追加として、選択されるサブキャリア410を選ぶために、複数の選択基準が使用されてもよい。位相推定用にサブキャリア405のサブセットを選択することによって、計算量が下げられ、パイロットシンボル位相推定にとって必要なリソースが低減される。さらに、選択基準を調整することによって、選択されたサブキャリア410などの信頼できるパイロットシンボルが位相推定用に選ばれてよく、そのことは、利用可能なサブキャリア405のサブセットを使用することに関連する不正確さを低減する。
【００４２】
図5は、本開示の様々な態様によるフィードフォワード位相追跡のためのプロセスフロー500の一例を示す。プロセスフロー500は、図1〜図2を参照しながら上記で説明したSTA115の一例であるSTA115-bを含み得る。プロセスフロー500はまた、図1〜図2を参照しながら上記で説明したAP105の一例であるAP105-bを含み得る。場合によっては、図5で説明するステップは、STA115以外のデバイス(たとえば、AP105または別のデバイス)によって達成されてよい。
【００４３】
ブロック505において、AP105-bは、ワイヤレス通信信号をSTA115-bへ送信し得る。通信信号は、いくつかの異なるコンポーネントキャリアまたはサブキャリアを含み得、その各々は、いくつかのパイロットシンボルを含み得る。
【００４４】
ブロック510において、STA115-bは、AP105-bからの通信信号を復調し得る。STA115-bは、OFDMデータパイロットシンボルのセットを復調し得る。復調は、FFTを実行すること、およびパイロットシンボルをコンスタレーションマップにマッピングすることを含み得る。いくつかの例では、OFDMデータパイロットシンボルのセットを復調することは、2位相シフトキーイング(BPSK)、4位相シフトキーイング(QPSK)、または直交振幅変調(QAM)を使用してOFDMデータパイロットシンボルのセットを復調することを含む。
【００４５】
ブロック515において、STA115-bは、パイロットシンボルをフィルタ処理し得る。STA115-bは、変調コンスタレーションマップにおけるOFDMデータパイロットシンボルのセットの各々の位置に少なくとも部分的に基づいて、OFDMデータパイロットシンボルのサブセットを選択し得る。STA115-bは、変調コンスタレーションマップにおいて、OFDMデータパイロットシンボルのセットの各々から、最も近いコンスタレーションポイントまでの距離を計算し得る。いくつかの例では、OFDMシンボルのサブセットを選択することは、最も近いコンスタレーションポイントまでの距離がしきい値よりも小さいOFDMシンボルのサブセットを選択することを含む。STA115-bは、コンスタレーションマップの領域を識別し得、領域の中の各ポイントは、しきい値よりも小さい、少なくとも1つの軸からの位相オフセットを有する。いくつかの例では、OFDMシンボルのサブセットを選択することは、コンスタレーションマップの領域とともに降下するOFDMシンボルのサブセットを選択することを含む。たとえば、領域は、コンスタレーションマップの軸からの位相オフセット、またはコンスタレーションマップの予想コンスタレーションポイントからのしきい値距離に少なくとも部分的に基づいて画定され得る。いくつかの例では、軸は同相軸または斜交軸を含む。
【００４６】
追加または代替として、パイロットシンボルは、サブブロックにグループ化されてもよく、サブブロックからのいくつかのパイロットシンボルが選択されてもよい。STA115-bは、サブキャリアのセットの中のサブキャリアごとにチャネル推定を実行し得る。STA115-bは、サブキャリアのセットを連続サブキャリアの複数のグループに区分し得る。STA115-bは、グループの中の各サブキャリアに対応するチャネル推定に少なくとも部分的に基づいて、各グループから代表サブキャリアを選択し得る。選択されないか、または画定された領域内にないパイロットシンボルは、廃棄または無視されてよい。
【００４７】
ブロック520において、STA115-bは、パイロットシンボルを分析し得、分析に少なくとも部分的に基づいて通信信号を位相補正し得る。STA115-bは、OFDMデータパイロットシンボルのサブセットを選択することに少なくとも部分的に基づいて、データパイロットベース位相推定を実行し得る。STA115-bは、ブロック515のフィルタ処理に少なくとも部分的に基づくなどして、受信パイロットシンボルのサブセットを分析し得る。パイロットシンボルの分析は、パイロットシンボルの位相推定、および位相オフセットの決定を含み得る。
【００４８】
ブロック525において、STA115-bは、AP105-bからの通信信号を復号し得る。通信信号を復号することは、通信信号の一部として受信されたシンボルに、位相オフセットの逆を適用することを含み得る。場合によっては、通信信号の中のデータの異なる部分を復号するために、異なる位相オフセットが使用される。たとえば、各サブブロック、サブキャリア、またはコンポーネントキャリアは、それに関連する異なる位相オフセットを有することがあり、関連する位相オフセットが、通信信号の中の、データシンボルなどの後続のシンボルを復号するために使用され得る。
【００４９】
場合によっては、STA115-bは、位相平均化および位相オフセット推定を備える線形回帰アルゴリズムに少なくとも部分的に基づいて、平滑な位相信号を生成し得る。いくつかの例では、データパイロットベース位相推定を実行することは、平滑な位相信号に少なくとも部分的に基づいてデータパイロットベース位相推定を実行することを含む。
【００５０】
図6は、本開示の様々な態様によるフィードフォワード位相追跡のために構成されたデバイス600のブロック図を示す。デバイス600は、図1〜図5を参照しながら説明したSTA115またはAP105の態様の一例である。デバイス600は、受信機605、位相追跡器610、または送信機615を含み得る。デバイス600はまた、プロセッサを含み得る。これらの構成要素の各々は、互いに通信していることがある。
【００５１】
受信機605は、パケット、ユーザデータ、または様々な情報チャネル(たとえば、制御チャネル、データチャネル、およびフィードフォワード位相追跡に関する情報など)に関連する制御情報などの情報を受信し得る。情報は、位相追跡器610、およびデバイス600の他の構成要素に伝えられる。
【００５２】
位相追跡器610は、OFDMデータパイロットシンボルのセットを復調し得、変調コンスタレーションマップにおけるOFDMデータパイロットシンボルのセットの各々の位置に少なくとも部分的に基づいて、OFDMデータパイロットシンボルのサブセットを選択し得、OFDMデータパイロットシンボルのサブセットを選択することに少なくとも部分的に基づいて、データパイロットベース位相推定を実行し得る。
【００５３】
送信機615は、デバイス600の他の構成要素から受けた信号を送信し得る。いくつかの例では、送信機615は、トランシーバの中に受信機605と一緒に置かれる。送信機615は、単一のアンテナを含んでよく、または複数のアンテナを含んでもよい。
【００５４】
図7は、本開示の様々な態様によるフィードフォワード位相追跡のためのデバイス700のブロック図を示す。デバイス700は、図1〜図6を参照しながら説明したデバイス600またはSTA115もしくはAP105の態様の一例である。デバイス700は、受信機605-a、位相追跡器610-a、または送信機615-aを含み得る。デバイス700はまた、プロセッサを含み得る。これらの構成要素の各々は、互いに通信している。位相追跡器610-aはまた、復調器705、シンボルフィルタ710、および位相推定器715を含み得る。
【００５５】
受信機605-aは、情報を受信し得、情報は、位相追跡器610-a、およびデバイス700の他の構成要素に伝えられる。位相追跡器610-aは、図6を参照しながら上記で説明した動作を実行し得る。送信機615-aは、デバイス700の他の構成要素から受けた信号を送信し得る。復調器705は、図2〜図5を参照しながら上記で説明したように、OFDMデータパイロットシンボルのセットを復調し得る。いくつかの例では、OFDMデータパイロットシンボルのセットを復調することは、BPSKまたはQAMを使用してOFDMデータパイロットシンボルのセットを復調することを含む。いくつかの例では、OFDMデータパイロットシンボルのセットを復調することは、QPSKを使用してOFDMデータパイロットシンボルのセットを復調することを含む。
【００５６】
シンボルフィルタ710は、図2〜図5を参照しながら上記で説明したように、変調コンスタレーションマップにおけるOFDMデータパイロットシンボルのセットの各々の位置に少なくとも部分的に基づいて、OFDMデータパイロットシンボルのサブセットを選択し得る。シンボルフィルタ710はまた、変調コンスタレーションマップにおいて、OFDMデータパイロットシンボルのセットの各々から、最も近いコンスタレーションポイントまでの距離を計算し得る。いくつかの例では、OFDMシンボルのサブセットを選択することは、最も近いコンスタレーションポイントまでの距離がしきい値よりも小さいOFDMシンボルのサブセットを選択することを含む。シンボルフィルタ710はまた、コンスタレーションマップの領域を識別し得、領域の中の各ポイントは、しきい値よりも小さい、少なくとも1つの軸からの位相オフセットを有する。いくつかの例では、OFDMシンボルのサブセットを選択することは、コンスタレーションマップの領域とともに降下するOFDMシンボルのサブセットを選択することを含む。いくつかの例では、少なくとも1つの軸は同相軸を含む。いくつかの例では、少なくとも1つの軸は斜交軸を含む。
【００５７】
位相推定器715は、図2〜図5を参照しながら上記で説明したように、OFDMデータパイロットシンボルのサブセットを選択することに少なくとも部分的に基づいて、データパイロットベース位相推定を実行し得る。いくつかの例では、データパイロットベース位相推定を実行することは、平滑な位相信号に少なくとも部分的に基づいてデータパイロットベース位相推定を実行することを含む。
【００５８】
図8は、本開示の様々な態様によるフィードフォワード位相追跡のためのデバイス600またはデバイス700の構成要素である、位相追跡器800の一例を示す。位相追跡器800は、図6〜図7を参照しながら説明した位相追跡器610の態様の一例である。位相追跡器800は、復調器705-a、シンボルフィルタ710-a、および位相推定器715-aを含み得る。これらのモジュールの各々は、図7を参照しながら上記で説明した機能を実行し得る。位相追跡器800はまた、パイロット系列抽出器805、パイロットパターン入力部810、サンプリング周波数オフセット(SFO)補償器815、パイロット合成器820、データパイロット抽出器825、再変調器830、およびデータパイロット合成器835を含み得る。
【００５９】
パイロット系列抽出器805は、復調器705-aから(図示しないが最大比合成器(MRC)によって合成された複数の信号ストリームも表し得る)入力を取り得、位相追跡のためにパイロット系列を抽出し得る。
【００６０】
パイロットパターン入力部810は、パイロット系列抽出器805によって抽出されるパイロットパターンと合成するために、知られているパイロットパターン系列を送り得る。サンプリング周波数オフセット(SFO)補償器815は、SFO補償の後でパイロットパターンと合成するために、データパイロット抽出器825から入力を取り得る。パイロット合成器820は、(たとえば、異なるサブキャリアからの)1つまたは複数のパイロットを合成し得る。データパイロット抽出器825は、復調された信号からデータパイロットを抽出し得る。再変調器830は、データパイロット抽出器825およびSFO補償器815からの入力を使用してデータパイロットを処理および再変調し得る。場合によっては、再変調器830の硬判定デコーダの前にシンボルフィルタ710-aが配置される。データパイロット合成器835は、データパイロット再変調器830から入力を取って、位相追跡のためにデータパイロットを合成し得る。場合によっては(図示せず)、データパイロット合成器835の前、ただし再変調器830の処理の後に、シンボルフィルタ710-aが配置される。
【００６１】
デバイス600、デバイス700、または位相追跡器800の構成要素は、適用可能な機能の一部または全部をハードウェアで実行するように適合された少なくとも1つのASICを用いて、個別にまたは一括して実装され得る。代替として、機能は、少なくとも1つのIC上で1つまたは複数の他の処理ユニット(または、コア)によって実行されてもよい。他の例では、当技術分野で知られている任意の方法でプログラムされる他のタイプの集積回路(たとえば、構造化/プラットフォームASIC、FPGA、または別のセミカスタムIC)が使用されてもよい。各ユニットの機能はまた、1つまたは複数の汎用プロセッサまたは特定用途向けプロセッサによって実行されるようにフォーマットされた、メモリの中に埋め込まれた命令を用いて、全体的または部分的に実施されてよい。
【００６２】
図9Aは、本開示の様々な態様によるフィードフォワード位相追跡のために構成されたデバイス901を含むシステム900-aの図を示す。システム900-aは、図1〜図8を参照しながら上記で説明したデバイス600、デバイス700、またはSTA115もしくはAP105の一例であるデバイス901を含み得る。デバイス901は、図6〜図8を参照しながら説明した位相追跡器610の一例である位相追跡器910-aを含み得る。位相追跡器910-aはまた、復調器705-b、シンボルフィルタ710-b、位相推定器715-b、計算量低減器950-a、および線形回帰フィルタ955-aを含み得る。デバイス901はまた、通信を送信するための構成要素および通信を受信するための構成要素を含む、双方向の音声およびデータワイヤレス通信のための構成要素を含み得る。たとえば、デバイス901は、AP105-cまたはSTA115-cと双方向に通信し得る。
【００６３】
計算量低減器950-aは、図2〜図5を参照しながら上記で説明したように、サブキャリアのセットの中のサブキャリアごとにチャネル推定を実行し得る。計算量低減器950-aはまた、サブキャリアのセットを連続サブキャリアの複数のグループに区分し得る。計算量低減器950-aはまた、グループの中の各サブキャリアに対応するチャネル推定に少なくとも部分的に基づいて、各グループから代表サブキャリアを選択し得る。
【００６４】
線形回帰フィルタ955-aは、図2〜図5を参照しながら上記で説明したように、位相平均化および位相オフセット推定を備える線形回帰アルゴリズムに少なくとも部分的に基づいて、平滑な位相信号を生成し得る。
【００６５】
デバイス901はまた、プロセッサ905-aおよびメモリ915-a(ソフトウェア(SW)920を含む)、トランシーバ935-a、ならびに1つまたは複数のアンテナ940-aを含み得、その各々は、互いに(たとえば、バス945-aを介して)直接または間接的に通信し得る。トランシーバ935-aは、上記で説明したように、アンテナ940-aまたは有線もしくはワイヤレスリンクを介して1つまたは複数のネットワークと双方向に通信し得る。たとえば、トランシーバ935-aは、AP105または別のSTA115と双方向に通信し得る。トランシーバ935-aは、送信のためにパケットを変調するとともに被変調パケットをアンテナ940-aに供給するための、またアンテナ940-aから受信されたパケットを復調するための、モデムを含み得る。デバイス901は単一のアンテナ940-aを含んでよいが、デバイス901はまた、複数のワイヤレス送信を並行して送信または受信することができる複数のアンテナ940-aを有してもよい。
【００６６】
メモリ915-aはまた、ランダムアクセスメモリ(RAM)および読取り専用メモリ(ROM)を含み得る。メモリ915-aは、実行されたとき、本明細書で説明する様々な機能(たとえば、フィードフォワード位相追跡などのための)をプロセッサ905-aに実行させる命令を含む、コンピュータ可読コンピュータ実行可能ソフトウェア/ファームウェアコード920を記憶し得る。代替として、コンピュータ実行可能ソフトウェア/ファームウェアコード920は、プロセッサ905-aによって直接実行可能でなくてもよいが、本明細書で説明する機能を(たとえば、コンパイルおよび実行されたとき)コンピュータに実行させ得る。プロセッサ905-aは、インテリジェントハードウェアデバイス(たとえば、中央処理装置(CPU)、マイクロコントローラ、ASICなど)を含み得る。
【００６７】
図9Bは、本開示の様々な態様によるフィードフォワード位相追跡のために構成されたデバイス902を含むシステム900-bの図を示す。システム900-bは、図1〜図8を参照しながら上記で説明したデバイス600、デバイス700、またはSTA115もしくはAP105の一例であるデバイス902を含み得る。デバイス902は、図6〜図8を参照しながら説明した位相追跡器610の一例である位相追跡器910-bを含み得る。位相追跡器910-bのメモリ915-bはまた、復調器705-c、シンボルフィルタ710-c、位相推定器715-c、計算量低減器950-b、および線形回帰フィルタ955-bの機能を実行するためのモジュールを含み得る。デバイス902はまた、通信を送信するための構成要素および通信を受信するための構成要素を含む、双方向の音声およびデータ通信のための構成要素を含み得る。たとえば、デバイス902は、AP105-dまたはSTA115-dと双方向に通信し得る。
【００６８】
デバイス902はまた、プロセッサ905-b、およびメモリ915-b、トランシーバ935-b、ならびに1つまたは複数のアンテナ940-bを含み得、その各々は、互いに(たとえば、バス945-bを介して)直接または間接的に通信し得る。トランシーバ935-bは、上記で説明したように、アンテナ940-bまたは有線もしくはワイヤレスリンクを介して1つまたは複数のネットワークと双方向に通信し得る。たとえば、トランシーバ935-bは、AP105または別のSTA115と双方向に通信し得る。トランシーバ935-bは、送信のためにパケットを変調するとともに被変調パケットをアンテナ940-bに供給するための、またアンテナ940から受信されたパケットを復調するための、モデムを含み得る。デバイス902は単一のアンテナ940-bを含んでよいが、デバイス902はまた、複数のワイヤレス送信を並行して送信または受信することができる複数のアンテナ940-bを有してもよい。
【００６９】
メモリ915-bは、ランダムアクセスメモリ(RAM)および読取り専用メモリ(ROM)を含み得る。メモリ915-bは、実行されたとき、本明細書で説明する様々な機能(たとえば、フィードフォワード位相追跡などのための)をプロセッサ905-bに実行させる命令を含む、コンピュータ可読コンピュータ実行可能ソフトウェア/ファームウェアコードを記憶し得る。たとえば、メモリ915-bは、上記で説明したような復調器705-c、シンボルフィルタ710-c、位相推定器715-c、計算量低減器950-b、および線形回帰フィルタ955-bの機能を実行するためのソフトウェアモジュールを含み得る。
【００７０】
図10は、本開示の様々な態様によるフィードフォワード位相追跡のための方法1000を示すフローチャートを示す。方法1000の動作は、図1〜図9を参照しながら説明したようなSTA115もしくはAP105などのデバイスまたはその構成要素によって実施される。たとえば、方法1000の動作は、図6〜図9を参照しながら説明したような位相追跡器610によって実行される。いくつかの例では、デバイスは、以下で説明する機能を実行するようにデバイスの機能要素を制御するための、コードのセットを実行し得る。追加または代替として、デバイスは、専用ハードウェアを使用して、以下で説明する機能の態様を実行し得る。
【００７１】
ブロック1005において、デバイスは、図2〜図5を参照しながら上記で説明したように、OFDMデータパイロットシンボルのセットを復調し得る。いくつかの例では、ブロック1005の動作は、図7を参照しながら上記で説明したような復調器705によって実行される。ブロック1010において、デバイスは、図2〜図5を参照しながら上記で説明したように、変調コンスタレーションマップにおけるOFDMデータパイロットシンボルのセットの各々の位置に少なくとも部分的に基づいて、OFDMデータパイロットシンボルのサブセットを選択し得る。いくつかの例では、ブロック1010の動作は、図7を参照しながら上記で説明したようなシンボルフィルタ710によって実行される。
【００７２】
ブロック1015において、デバイスは、図2〜図5を参照しながら上記で説明したように、OFDMデータパイロットシンボルのサブセットを選択することに少なくとも部分的に基づいて、データパイロットベース位相推定を実行し得る。
【００７３】
位相推定は、受信シンボルを処理すること、およびシンボルの位相誤差を識別することを含み得る。たとえば、位相誤差は、コンスタレーションマップにおけるシフトまたは回転として表される。受信シンボルからの位相推定は、その後に処理されるシンボルにとって、より良好な推定をもたらすために使用され得る。いくつかの例では、ブロック1015の動作は、図7を参照しながら上記で説明したような位相推定器715によって実行される。
【００７４】
図11は、本開示の様々な態様によるフィードフォワード位相追跡のための方法1100を示すフローチャートを示す。方法1100の動作は、図1〜図9を参照しながら説明したようなSTA115もしくはAP105などのデバイスまたはその構成要素によって実施される。たとえば、方法1100の動作は、図6〜図9を参照しながら説明したような位相追跡器610によって実行される。いくつかの例では、デバイスは、以下で説明する機能を実行するようにデバイスの機能要素を制御するための、コードのセットを実行し得る。追加または代替として、デバイスは、専用ハードウェアを使用して、以下で説明する機能の態様を実行し得る。方法1100はまた、図10の方法1000の態様を組み込んでよい。
【００７５】
ブロック1105において、デバイスは、図2〜図5を参照しながら上記で説明したように、OFDMデータパイロットシンボルのセットを復調し得る。いくつかの例では、ブロック1105の動作は、図7を参照しながら上記で説明したような復調器705によって実行される。ブロック1110において、デバイスは、図2〜図5を参照しながら上記で説明したように、変調コンスタレーションマップにおいて、OFDMデータパイロットシンボルのセットの各々から、最も近いコンスタレーションポイントまでの距離を計算し得る。いくつかの例では、ブロック1110の動作は、図7を参照しながら上記で説明したようなシンボルフィルタ710によって実行される。
【００７６】
ブロック1115において、デバイスは、図2〜図5を参照しながら上記で説明したように、変調コンスタレーションマップにおけるOFDMデータパイロットシンボルのセットの各々の位置に少なくとも部分的に基づいて、OFDMデータパイロットシンボルのサブセットを選択し得る。場合によっては、OFDMシンボルのサブセットを選択することは、最も近いコンスタレーションポイントまでの距離がしきい値よりも小さいOFDMシンボルのサブセットを選択することを含む。したがって、デバイスは、いくつかのデータパイロットシンボルを受信し得、位相推定で使用するためにそれらをフィルタ処理し得る。フィルタ処理は、予想コンスタレーションポイントのしきい値距離に入らないか、または画定された領域に入らないパイロットシンボルを廃棄することによるなどの、コンスタレーションマップ内での各シンボルのロケーションに基づく。いくつかの例では、ブロック1115の動作は、図7を参照しながら上記で説明したようなシンボルフィルタ710によって実行される。
【００７７】
ブロック1120において、デバイスは、図2〜図5を参照しながら上記で説明したように、OFDMデータパイロットシンボルのサブセットを選択することに少なくとも部分的に基づいて、データパイロットベース位相推定を実行し得る。いくつかの例では、ブロック1120の動作は、図7を参照しながら上記で説明したような位相推定器715によって実行される。
【００７８】
図12は、本開示の様々な態様によるフィードフォワード位相追跡のための方法1200を示すフローチャートを示す。方法1200の動作は、図1〜図9を参照しながら説明したようなSTA115もしくはAP105などのデバイスまたはその構成要素によって実施される。たとえば、方法1200の動作は、図6〜図9を参照しながら説明したような位相追跡器610によって実行される。いくつかの例では、デバイスは、以下で説明する機能を実行するようにデバイスの機能要素を制御するための、コードのセットを実行し得る。追加または代替として、デバイスは、専用ハードウェアを使用して、以下で説明する機能の態様を実行し得る。方法1200はまた、図10〜図11の方法1000および1100の態様を組み込んでよい。
【００７９】
ブロック1205において、デバイスは、図2〜図5を参照しながら上記で説明したように、OFDMデータパイロットシンボルのセットを復調し得る。いくつかの例では、ブロック1205の動作は、図7を参照しながら上記で説明したような復調器705によって実行される。ブロック1210において、デバイスは、図2〜図5を参照しながら上記で説明したように、コンスタレーションマップの領域を識別し得、領域の中の各ポイントは、しきい値よりも小さい、少なくとも1つの軸からの位相オフセットを有する。いくつかの例では、ブロック1210の動作は、図7を参照しながら上記で説明したようなシンボルフィルタ710によって実行される。
【００８０】
ブロック1215において、デバイスは、図2〜図5を参照しながら上記で説明したように、変調コンスタレーションマップにおけるOFDMデータパイロットシンボルのセットの各々の位置に少なくとも部分的に基づいて、OFDMデータパイロットシンボルのサブセットを選択し得る。したがって、デバイスは、いくつかのデータパイロットシンボルを受信し得、位相推定で使用するためにそれらをフィルタ処理し得る。フィルタ処理は、予想コンスタレーションポイントのしきい値距離に入らないか、または画定された領域に入らないパイロットシンボルを廃棄することによるなどの、コンスタレーションマップ内での各シンボルのロケーションに基づく。いくつかの例では、ブロック1215の動作は、図7を参照しながら上記で説明したようなシンボルフィルタ710によって実行される。
【００８１】
ブロック1220において、デバイスは、図2〜図5を参照しながら上記で説明したように、OFDMデータパイロットシンボルのサブセットを選択することに少なくとも部分的に基づいて、データパイロットベース位相推定を実行し得る。場合によっては、OFDMシンボルのサブセットを選択することは、コンスタレーションマップの領域とともに降下するOFDMシンボルのサブセットを選択することを含む。いくつかの例では、ブロック1220の動作は、図7を参照しながら上記で説明したような位相推定器715によって実行される。
【００８２】
図13は、本開示の様々な態様によるフィードフォワード位相追跡のための方法1300を示すフローチャートを示す。方法1300の動作は、図1〜図9を参照しながら説明したようなSTA115もしくはAP105などのデバイスまたはその構成要素によって実施される。たとえば、方法1300の動作は、図6〜図9を参照しながら説明したような位相追跡器610によって実行される。いくつかの例では、デバイスは、以下で説明する機能を実行するようにデバイスの機能要素を制御するための、コードのセットを実行し得る。追加または代替として、デバイスは、専用ハードウェアを使用して、以下で説明する機能の態様を実行し得る。方法1300はまた、図10〜図12の方法1000、1100、および1200の態様を組み込んでよい。
【００８３】
ブロック1305において、デバイスは、図2〜図5を参照しながら上記で説明したように、OFDMデータパイロットシンボルのセットを復調し得る。いくつかの例では、ブロック1305の動作は、図7を参照しながら上記で説明したような復調器705によって実行される。
【００８４】
ブロック1310において、デバイスは、図2〜図5を参照しながら上記で説明したように、サブキャリアのセットを連続サブキャリアの複数のグループに区分し得る。たとえば、各サブブロック内で、いくつかのサブキャリア(たとえば、単一のサブキャリア)が、位相推定で使用するために選択され得る。位相推定用に使用される選択されたサブキャリアのパイロットシンボルは、チャネル伝達関数(すなわち、各サブキャリア上で受信される信号の強度)などのいくつかのファクタを使用して選ばれてよい。たとえば、サブブロックの中で最大の信号マグニチュードを有するパイロットシンボルが、パイロットシンボルのサブセット210にフィルタ処理され、したがって、位相推定用に選ばれる。いくつかの例では、ブロック1310の動作は、図9Aおよび図9Bを参照しながら上記で説明したような計算量低減器950によって実行される。
【００８５】
ブロック1315において、デバイスは、図2〜図5を参照しながら上記で説明したように、グループの中の各サブキャリアに対応するチャネル推定に少なくとも部分的に基づいて、各グループから代表サブキャリアを選択し得る。いくつかの例では、ブロック1315の動作は、図9Aおよび図9Bを参照しながら上記で説明したような計算量低減器950によって実行される。ブロック1320において、デバイスは、図2〜図5を参照しながら上記で説明したように、変調コンスタレーションマップにおけるOFDMデータパイロットシンボルのセットの各々の位置に少なくとも部分的に基づいて、OFDMデータパイロットシンボルのサブセットを選択し得る。OFDMデータパイロットシンボルのサブセットはまた、代表サブキャリアのセットから選択され得る。いくつかの例では、ブロック1320の動作は、図7を参照しながら上記で説明したようなシンボルフィルタ710によって実行される。
【００８６】
ブロック1325において、デバイスは、図2〜図5を参照しながら上記で説明したように、OFDMデータパイロットシンボルのサブセットを選択することに少なくとも部分的に基づいて、データパイロットベース位相推定を実行し得る。いくつかの例では、ブロック1325の動作は、図7を参照しながら上記で説明したような位相推定器715によって実行される。ブロック1330において、デバイスは、図2〜図5を参照しながら上記で説明したように、サブキャリアのセットの中のサブキャリアごとにチャネル推定を実行し得る。いくつかの例では、ブロック1330の動作は、図9Aおよび図9Bを参照しながら上記で説明したような計算量低減器950によって実行される。
【００８７】
図14は、本開示の様々な態様によるフィードフォワード位相追跡のための方法1400を示すフローチャートを示す。方法1400の動作は、図1〜図9を参照しながら説明したようなSTA115もしくはAP105などのデバイスまたはその構成要素によって実施される。たとえば、方法1400の動作は、図6〜図9を参照しながら説明したような位相追跡器610によって実行される。いくつかの例では、デバイスは、以下で説明する機能を実行するようにデバイスの機能要素を制御するための、コードのセットを実行し得る。追加または代替として、デバイスは、専用ハードウェアを使用して、以下で説明する機能の態様を実行し得る。方法1400はまた、図10〜図13の方法1000、1100、1200、および1300の態様を組み込んでよい。
【００８８】
ブロック1405において、デバイスは、図2〜図5を参照しながら上記で説明したように、OFDMデータパイロットシンボルのセットを復調し得る。いくつかの例では、ブロック1405の動作は、図7を参照しながら上記で説明したような復調器705によって実行される。
【００８９】
ブロック1410において、デバイスは、図2〜図5を参照しながら上記で説明したように、変調コンスタレーションマップにおけるOFDMデータパイロットシンボルのセットの各々の位置に少なくとも部分的に基づいて、OFDMデータパイロットシンボルのサブセットを選択し得る。いくつかの例では、ブロック1410の動作は、図7を参照しながら上記で説明したようなシンボルフィルタ710によって実行される。
【００９０】
ブロック1415において、デバイスは、図2〜図5を参照しながら上記で説明したように、位相平均化および位相オフセット推定を備える線形回帰アルゴリズムに少なくとも部分的に基づいて、平滑な位相信号を生成し得る。いくつかの例では、ブロック1415の動作は、図9Aおよび図9Bを参照しながら上記で説明したような線形回帰フィルタ955によって実行される。
【００９１】
ブロック1420において、デバイスは、図2〜図5を参照しながら上記で説明したように、OFDMデータパイロットシンボルのサブセットを選択することに少なくとも部分的に基づいて、データパイロットベース位相推定を実行し得る。場合によっては、データパイロットベース位相推定を実行することは、平滑な位相信号に少なくとも部分的に基づいてデータパイロットベース位相推定を実行することを含む。いくつかの例では、ブロック1420の動作は、図7を参照しながら上記で説明したような位相推定器715によって実行される。
【００９２】
したがって、方法1000、1100、1200、1300、および1400は、フィードフォワード位相追跡を行い得る。方法1000、1100、1200、1300、および1400が可能な実装形態を説明していること、ならびに他の実装形態が可能となるように動作およびステップが再構成または別の方法で修正され得ることに留意されたい。いくつかの例では、方法1000、1100、1200、1300、および1400のうちの2つ以上からの態様が組み合わせられてよい。
【００９３】
添付の図面に関して上記に記載した発明を実施するための形態は、例示的な構成を説明するものであり、実装され得るか、または特許請求の範囲内にあるすべての例を表すものではない。本明細書全体にわたって使用される「例示的」という用語は、「例、事例、または例示として役立つ」を意味し、「好ましい」または「他の例よりも有利」を意味するものではない。発明を実施するための形態は、説明した技法の理解をもたらす目的で、具体的な詳細を含む。しかしながら、これらの技法は、これらの具体的な詳細を伴わずに実践され得る。いくつかの事例では、説明した例の概念を不明瞭にすることを避けるために、よく知られている構造およびデバイスがブロック図の形態で示される。
【００９４】
情報および信号は、様々な異なる技術および技法のうちのいずれかを使用して表されてよい。たとえば、上記の説明全体にわたって参照され得るデータ、命令、コマンド、情報、信号、ビット、記号、およびチップは、電圧、電流、電磁波、磁場もしくは磁性粒子、光場もしくは光学粒子、またはそれらの任意の組合せによって表されてよい。
【００９５】
本明細書の開示に関して説明した様々な例示的なブロックおよびモジュールは、汎用プロセッサ、デジタル信号プロセッサ(DSP)、ASIC、FPGAもしくは他のプログラマブル論理デバイス、個別ゲートもしくはトランジスタ論理、個別ハードウェア構成要素、または本明細書で説明した機能を実行するように設計されたそれらの任意の組合せを用いて実装または実行され得る。汎用プロセッサはマイクロプロセッサであり得るが、代替として、プロセッサは、任意の従来型プロセッサ、コントローラ、マイクロコントローラ、またはステートマシンであってもよい。プロセッサはまた、コンピューティングデバイスの組合せ(たとえば、DSPとマイクロプロセッサとの組合せ、複数のマイクロプロセッサ、DSPコアと連携する1つもしくは複数のマイクロプロセッサ、または任意の他のそのような構成)として実装され得る。
【００９６】
本明細書で説明した機能は、ハードウェア、プロセッサによって実行されるソフトウェア、ファームウェア、またはそれらの任意の組合せで実装され得る。プロセッサによって実行されるソフトウェアで実装される場合、機能は、コンピュータ可読媒体上の1つまたは複数の命令またはコード上に記憶されてよく、あるいは1つまたは複数の命令またはコードとして送信されてもよい。他の例および実装形態が、本開示および添付の特許請求の範囲内にある。たとえば、ソフトウェアの性質に起因して、上記で説明した機能は、プロセッサ、ハードウェア、ファームウェア、ハードワイヤリング、またはこれらのうちのいずれかの組合せによって実行されるソフトウェアを使用して実施され得る。機能を実施する特徴はまた、機能の部分が異なる物理的ロケーションにおいて実装されるように分散されることを含む、様々な位置に物理的に位置し得る。また、特許請求の範囲を含む本明細書で使用するとき、項目のリスト(たとえば、「のうちの少なくとも1つ」または「のうちの1つまたは複数」などの句で終わる項目のリスト)で使用される「または」は、たとえば、[A、B、またはCのうちの少なくとも1つ]のリストがAまたはBまたはCまたはABまたはACまたはBCまたはABC(すなわち、AおよびBおよびC)を意味するような包含的リストを示す。
【００９７】
コンピュータ可読媒体は、ある場所から別の場所へのコンピュータプログラムの転送を容易にする任意の媒体を含む、非一時的コンピュータ記憶媒体と通信媒体の両方を含む。非一時的記憶媒体は、汎用コンピュータまたは専用コンピュータによってアクセスされ得る任意の利用可能な媒体であってよい。限定ではなく例として、非一時的コンピュータ可読媒体は、RAM、ROM、電気的消去可能プログラマブル読取り専用メモリ(EEPROM)、コンパクトディスク(CD)ROMまたは他の光ディスクストレージ、磁気ディスクストレージまたは他の磁気ストレージデバイス、あるいは命令またはデータ構造の形態で所望のプログラムコード手段を搬送または記憶するために使用され得るとともに、汎用コンピュータもしくは専用コンピュータまたは汎用プロセッサもしくは専用プロセッサによってアクセスされ得る任意の他の非一時的媒体を備えることができる。また、任意の接続が、適正にコンピュータ可読媒体と称される。たとえば、ソフトウェアが、同軸ケーブル、光ファイバケーブル、ツイストペア、デジタル加入者線(DSL)、または赤外線、無線、およびマイクロ波などのワイヤレス技術を使用してウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、CD、レーザーディスク（登録商標）(disc)、光ディスク(disc)、デジタル多用途ディスク(disc)(DVD)、フロッピーディスク(disk)、およびBlu-ray（登録商標）ディスク(disc)を含み、ディスク(disk)は通常、データを磁気的に再生し、ディスク(disc)は、レーザーを用いてデータを光学的に再生する。上記の組合せも、コンピュータ可読媒体の範囲内に含まれる。
【００９８】
本開示の前述の説明は、当業者が本開示を作製または使用することを可能にするために提供される。本開示の様々な変更は、当業者に容易に明らかになり、本明細書で定義する一般原理は、本開示の範囲から逸脱することなく他の変形形態に適用され得る。したがって、本開示は、本明細書で説明する例および設計に限定されるものではなく、本明細書で開示する原理および新規の特徴と一致する最も広い範囲を与えられるべきである。
【符号の説明】
【００９９】
100  WLAN、WLANネットワーク
105  アクセスポイント(AP)、AP
105-a  AP
110  カバレージエリア
115  STA、ステーション
115-a  STA
120  直接ワイヤレスリンク
120-a  通信リンク
200  ワイヤレス通信サブシステム
205  シンボルフィルタ
210  パイロットシンボルのサブセット
300、300-a、300-b  コンスタレーションマップ、コンスタレーションマッピング
305、305-a、305-b  軸位相オフセット線
310  パイロットシンボル、信頼できるパイロットシンボル
310-a、310-b  信頼できるパイロットシンボル
315  パイロットシンボル、信頼できないパイロットシンボル
315-a、315-b  信頼できないパイロットシンボル
320、320-a、320-b  しきい値距離領域
400  グラフ
500  プロセスフロー
600  デバイス
605、605-a  受信機
610、610-a  位相追跡器
615、615-a  送信機
700  デバイス
705、705-a、705-b  復調器
710、710-a、710-b  シンボルフィルタ
715、715-a、715-b  位相推定器
800  位相追跡器
805  パイロット系列抽出器
810  パイロットパターン入力部
815  サンプリング周波数オフセット補償器
820  パイロット合成器
825  データパイロット抽出器
830  再変調器
835  データパイロット合成器
900-a、900-b  システム
905、905-a、905-b  プロセッサ
910、910-a、910-b  位相追跡器
915、915-a、915-b  メモリ
920  ソフトウェア
935、935-a、935-b  トランシーバ
940、940-a、940-b  アンテナ
945、945-a、945-b  バス
950、950-a  計算量低減器
955、955-a  線形回帰フィルタ
1000、1100、1200、1300、1400  方法
【図１】
2018516510.tif 000003
【図２】
2018516510.tif 000004
【図３Ａ】
2018516510.tif 000005
【図３Ｂ】
2018516510.tif 000006
【図３Ｃ】
2018516510.tif 000007
【図４】
2018516510.tif 000008
【図５】
2018516510.tif 000009
【図６】
2018516510.tif 000010
【図７】
2018516510.tif 000011
【図８】
2018516510.tif 000012
【図９Ａ】
2018516510.tif 000013
【図９Ｂ】
2018516510.tif 000014
【図１０】
2018516510.tif 000015
【図１１】
2018516510.tif 000016
【図１２】
2018516510.tif 000017
【図１３】
2018516510.tif 000018
【図１４】
2018516510.tif 000019
【手続補正書】
【提出日】平成29年11月29日(2017.11.29)
【手続補正１】
【補正対象書類名】特許請求の範囲
【補正対象項目名】全文
【補正方法】変更
【補正の内容】
【特許請求の範囲】
【請求項１】
通信の方法であって、
OFDMデータパイロットシンボルのセットを復調するステップと、
データパイロットベース位相推定のために、復調されたOFDMデータパイロットシンボルの前記セットからOFDMデータパイロットシンボルのサブセットを選択するステップであって、選択する前記ステップが、平均シンボル位置に対する、変調コンスタレーションマップにおける前記OFDMデータパイロットシンボルの各々の位置に少なくとも部分的に基づく、ステップと、
OFDMデータパイロットシンボルの前記選択されたサブセットに少なくとも部分的に基づいて、前記データパイロットベース位相推定を実行するステップと
を備える方法。
【請求項２】
前記変調コンスタレーションマップにおいて、前記OFDMデータパイロットシンボルの各々から、最も近いコンスタレーションポイントまでの距離を計算するステップをさらに備え、
OFDMデータパイロットシンボルの前記サブセットを選択するステップが、前記最も近いコンスタレーションポイントまでの前記距離がしきい値よりも小さいOFDMデータパイロットシンボルを選択するステップを備える、
請求項1に記載の方法。
【請求項３】
前記変調コンスタレーションマップの領域を識別するステップをさらに備え、前記領域の中の各ポイントが、しきい値よりも小さい、少なくとも1つの軸からの位相オフセットを有し、
OFDMデータパイロットシンボルの前記サブセットを選択するステップが、前記変調コンスタレーションマップの前記領域に入るOFDMデータパイロットシンボルを選択するステップを備える、
請求項1に記載の方法。
【請求項４】
サブキャリアのセットの中のサブキャリアごとにチャネル推定を実行するステップと、
サブキャリアの前記セットを連続サブキャリアの複数のグループに区分するステップと、
前記グループの中の各サブキャリアに対応する前記チャネル推定に少なくとも部分的に基づいて、各グループから代表サブキャリアを選択するステップと
をさらに備える、請求項1に記載の方法。
【請求項５】
位相平均化および位相オフセット推定を備える線形回帰アルゴリズムに少なくとも部分的に基づいて、平滑な位相信号を生成するステップをさらに備え、
前記データパイロットベース位相推定が、前記平滑な位相信号に少なくとも部分的に基づく、
請求項1に記載の方法。
【請求項６】
OFDMデータパイロットシンボルの前記セットが、2位相シフトキーイング(BPSK)および直交振幅変調(QAM)からなるグループから選択された変調方式を使用して復調され、前記少なくとも1つの軸が同相軸を備える、請求項3に記載の方法。
【請求項７】
OFDMデータパイロットシンボルの前記セットが、4位相シフトキーイング(QPSK)を使用して復調され、前記少なくとも1つの軸が斜交軸を備える、請求項3に記載の方法。
【請求項８】
通信のための装置であって、
OFDMデータパイロットシンボルのセットを復調するための復調器と、
データパイロットベース位相推定のために、復調されたOFDMデータパイロットシンボルの前記セットからOFDMデータパイロットシンボルのサブセットを選択するためのシンボルフィルタであって、前記選択することが、平均シンボル位置に対する、変調コンスタレーションマップにおける前記OFDMデータパイロットシンボルの各々の位置に少なくとも部分的に基づく、シンボルフィルタと、
OFDMデータパイロットシンボルの前記選択されたサブセットに少なくとも部分的に基づいて、前記データパイロットベース位相推定を実行するための位相推定器と
を備える装置。
【請求項９】
前記変調コンスタレーションマップにおいて、前記OFDMデータパイロットシンボルの各々から、最も近いコンスタレーションポイントまでの距離を計算するための第1のシンボルフィルタをさらに備え、
OFDMデータパイロットシンボルの前記サブセットを選択することが、前記最も近いコンスタレーションポイントまでの前記距離がしきい値よりも小さいOFDMデータパイロットシンボルを選択することを備える、
請求項8に記載の装置。
【請求項１０】
前記変調コンスタレーションマップの領域を識別するための第2のシンボルフィルタをさらに備え、前記領域の中の各ポイントが、しきい値よりも小さい、少なくとも1つの軸からの位相オフセットを有し、
OFDMデータパイロットシンボルの前記サブセットを選択することが、前記変調コンスタレーションマップの前記領域に入るOFDMデータパイロットシンボルを選択することを備える、
請求項8に記載の装置。
【請求項１１】
サブキャリアのセットの中のサブキャリアごとにチャネル推定を実行するための、かつサブキャリアの前記セットを連続サブキャリアの複数のグループに区分するための、かつ前記グループの中の各サブキャリアに対応する前記チャネル推定に少なくとも部分的に基づいて各グループから代表サブキャリアを選択するための、計算量低減器
をさらに備える、請求項8に記載の装置。
【請求項１２】
位相平均化および位相オフセット推定を備える線形回帰アルゴリズムに少なくとも部分的に基づいて、平滑な位相信号を生成するための線形回帰フィルタをさらに備え、
前記データパイロットベース位相推定が、前記平滑な位相信号に少なくとも部分的に基づく、
請求項8に記載の装置。
【請求項１３】
OFDMデータパイロットシンボルの前記セットが、2位相シフトキーイング(BPSK)および直交振幅変調(QAM)からなるグループから選択された変調方式を使用して復調され、前記少なくとも1つの軸が同相軸を備える、請求項10に記載の装置。
【請求項１４】
OFDMデータパイロットシンボルの前記セットが、4位相シフトキーイング(QPSK)を使用して復調され、前記少なくとも1つの軸が斜交軸を備える、請求項10に記載の装置。
【請求項１５】
通信のための装置であって、
OFDMデータパイロットシンボルのセットを復調するための手段と、
データパイロットベース位相推定のために、復調されたOFDMデータパイロットシンボルの前記セットからOFDMデータパイロットシンボルのサブセットを選択するための手段であって、前記選択することが、平均シンボル位置に対する、変調コンスタレーションマップにおける前記OFDMデータパイロットシンボルの各々の位置に少なくとも部分的に基づく、手段と、
OFDMデータパイロットシンボルの前記選択されたサブセットに少なくとも部分的に基づいて、前記データパイロットベース位相推定を実行するための手段と
を備える装置。
【請求項１６】
前記変調コンスタレーションマップにおいて、前記OFDMデータパイロットシンボルの各々から、最も近いコンスタレーションポイントまでの距離を計算するための手段をさらに備え、
OFDMデータパイロットシンボルの前記サブセットを選択するための前記手段が、前記最も近いコンスタレーションポイントまでの前記距離がしきい値よりも小さいOFDMデータパイロットシンボルを選択するための手段を備える、
請求項15に記載の装置。
【請求項１７】
前記変調コンスタレーションマップの領域を識別するための手段をさらに備え、前記領域の中の各ポイントが、しきい値よりも小さい、少なくとも1つの軸からの位相オフセットを有し、OFDMデータパイロットシンボルの前記サブセットを選択するための前記手段が、前記変調コンスタレーションマップの前記領域に入るOFDMデータパイロットシンボルを選択するための手段を備える、
請求項15に記載の装置。
【請求項１８】
サブキャリアのセットの中のサブキャリアごとにチャネル推定を実行するための手段と、
サブキャリアの前記セットを連続サブキャリアの複数のグループに区分するための手段と、
前記グループの中の各サブキャリアに対応する前記チャネル推定に少なくとも部分的に基づいて、各グループから代表サブキャリアを選択するための手段と
をさらに備える、請求項15に記載の装置。
【請求項１９】
位相平均化および位相オフセット推定を備える線形回帰アルゴリズムに少なくとも部分的に基づいて、平滑な位相信号を生成するための手段をさらに備え、
前記データパイロットベース位相推定が、前記平滑な位相信号に少なくとも部分的に基づく、
請求項15に記載の装置。
【請求項２０】
OFDMデータパイロットシンボルの前記セットが、2位相シフトキーイング(BPSK)および直交振幅変調(QAM)からなるグループから選択された変調方式を使用して復調され、前記少なくとも1つの軸が虚軸を備える、請求項17に記載の装置。
【国際調査報告】
2018516510.tif 000020
2018516510.tif 000021